(57)【要約】【課題】自重や荷重等の重さによる変形や破損を生ずることがなく、大型化等を可能にし、大型化を図れることで、縦樋等の数を減らすことが可能で建築物としての意匠性を高めることができる軒先構造を提供する。【解決手段】本発明は、建築物の軒先に突出状に延出させた躯体４に形成する軒先構造であって、前記突出躯体に、その内部空間１０に排水手段１Ａが設けられる軒先化粧体１が載置状に配設されていることを特徴とする。【選択図】図１
2018066110.tif 000002
【特許請求の範囲】
【請求項１】
建築物の軒先に突出状に延出させた躯体に形成する軒先構造であって、
前記突出躯体に、その内部空間に排水手段が設けられる軒先化粧体が載置状に配設されていることを特徴とする軒先構造。
【請求項２】
突出躯体を覆う化粧材が配設されていることを特徴とする請求項１に記載の軒先構造。
【発明の詳細な説明】
【技術分野】
【０００１】
本発明は、自重や荷重等の重さによる変形や破損を生ずることがなく、大型化等を可能にし、大型化を図れることで、縦樋等の数を減らすことが可能で建築物としての意匠性を高めることができる軒先構造に関する。
【背景技術】
【０００２】
従来、軒樋は軒先の「鼻隠し」に直接あるいは受け材等を介して固定されている。
例えば特許文献１には、鼻隠しＡに固定された樋受け材（軒樋支持金具１）に軒樋２を取り付けている
特許文献２には、鼻隠し６に固定された樋受け材（内吊り金具２）に軒樋１を取り付け、その前面や底面を化粧カバー材３にて覆っている。
【先行技術文献】
【特許文献】
【０００３】
【特許文献１】特開平１１−１７０８４４号公報
【特許文献２】特開２００６−２３３５３６号公報
【発明の開示】
【発明が解決しようとする課題】
【０００４】
しかしながら、前記特許文献１，２の軒樋は、様々な条件（地域性、雨量、強度etc）に応じて仕様が異なり、軒樋の形状等を自由に選定することはは難しかった。
また、軒樋を大型化する場合、受け材、受け材を固定する「鼻隠し」の変更（補強）等が必要になる場合もあり、自由度が低いものであった。
さらに、上述のように自由度が低いため、軒樋の大きさ、形状を容易に変更することができず、建築物としての軒先のデザイン等にも制限を受けるものであった。
また、軒樋は積雪地域等にあっては重さによる変形、破損を勘案する必要があり、汎用性の低いものであった。
【０００５】
そこで、本発明は、自重や荷重等の重さによる変形や破損を生ずることがなく、大型化等を可能にし、大型化を図れることで、縦樋等の数を減らすことが可能で建築物としての意匠性を高めることができる軒先構造を提案することを目的とする。
【課題を解決するための手段】
【０００６】
本発明は、上記に鑑み提案されたものであって、建築物の軒先に突出状に延出させた躯体に形成する軒先構造であって、前記突出躯体に、その内部空間に排水手段が設けられる軒先化粧体が載置状に配設されていることを特徴とする軒先構造を提案するものである。
【０００７】
また、本発明は、前記軒先構造において、突出躯体を覆う化粧材が配設されていることを特徴とする軒先構造をも提案する。
【発明の効果】
【０００８】
本発明の軒先構造は、建築物の軒先に延出させた突出躯体に内部に排水手段を設けた軒先化粧体を載置状に配設した構成であるため、支持強度が極めて高く、軒先化粧体としてどのような形状や大きさの軒樋をも用いることもできる。そのため、地域性や雨量、強度等に応じた種々な仕様、並びに多種のデザインに適用でき、様々な意匠性の向上にも寄与でき、また受け材や該受け材を固定する「鼻隠し」の変更を伴うことなく大型化にも適用することができる。そのように大型化を図れることで、縦樋等の数を減らすことが可能で建築物としての意匠性を高めることができる。そして、配設する軒先化粧体は、自重や荷重等の重さによる変形や破損を生ずることがなく、極めて汎用性が高いものである。
【０００９】
また、突出躯体を覆う化粧材が配設されている場合には、軒先側から見上げた際にも突出躯体が露出することがなく、美麗な軒先構造となる。
【図面の簡単な説明】
【００１０】
【図１】（ａ）本発明の軒先構造の第１実施例を示す側断面図、（ｂ）その軒先側から見た正面図、（ｃ）用いた軒先化粧体を拡大して示す側面図である。
【図２】（ａ）本発明の軒先構造の第２実施例を示す側断面図、（ｂ）その軒先側から見た正面図である。
【発明を実施するための形態】
【００１１】
本発明の軒先構造は、建築物の軒先に突出状に延出させた躯体に形成する軒先構造であって、前記突出躯体に、その内部空間に排水手段が設けられる軒先化粧体が載置状に配設されていることを特徴とする。
なお、「その内部空間に排水手段が設けられる軒先化粧体」とは、施工状態におけるものであって、配設以前から排水手段を備える構造でも、配設後に排水手段を有する構造でもよい。
【００１２】
本発明に用いられる突出躯体は、前述のように建築物の軒先に突出状に延出させた躯体を指すものであって、Ｃ型鋼やＨ型鋼等の構造体の一部が軒先に突出するものであってもよいし、それらの構造体に金属プレート等を接続して軒先に突出させたものでもよく、高い支持強度を備えるものであれば、特にその形状や材質等については限定するものではない。
なお、後述する図示実施例にも示すように構造材としては、その鋼材厚や寸法、或いは材質が異なる複数種類のＨ型鋼が適宜に用いられ、それらを個別に示す表記として「大型の」や「小型の」という表現を用いたが、これらの表記は使用したＨ型鋼の中での相対的な大きさを示すものに過ぎず、具体的な寸法を制限するものではない。
【００１３】
また、本発明に用いられる軒先化粧体は、前述のように配設以前から排水手段を備える構造でも、配設後に排水手段を有する構造でもよく、単一部材からなるものでも複数部材からなるものでもよく、複数部材からなる場合は、同質材であっても異質材であってもよい。また、複数部材の場合、連結状に一体化するものでも被覆状に一体化するものでもよく、極めて多くの態様から選択することができる。
【００１４】
例えば複数部材からなる軒先化粧体としては、後述する図示実施例に示すように軒樋を兼ねる下部材と、落ち葉除けを兼ねる軒先カバー材である上部材と、を適宜に連結したものでもよいし、軒樋自体を別部材として配設するものでもよい。
前記上部材（軒先カバー材）としては、その内部への雨水の導入口を設けるが、その導入口の形状についてはスリット状でも小孔状でもよく、落ち葉除け、即ち落ち葉等の固形物の浸入を防止するためにその開口径を小さくすることが望ましい。
前記下部材としては、後述する図示実施例に示すように、前記突出躯体に載置するための設置面部を有するが、より安定な設置を目的として、突出躯体が略平坦状であれば設置面部も略平坦状であることが望ましく、突出躯体に係止部を有する場合には設置面部も前記係止部と係合する係止受部を有することが望ましい。
なお、後述する図示実施例では、この下部材を、上方が開放する溝状の排水部（排水手段）を備える樋状に形成したが、この排水部には各種の撥水剤を塗布したりフィルム状の撥水材等を接着することにより、雨水等の流れがより円滑になるようにしてもよい。その場合、この下部材を金属製とすることも可能になる。
【００１５】
前記上部材と下部材との一体化については、特に限定するものではなく、後述する図示実施例に示すように両部材の軒先先端が係合等により連結されていればよく、両部材の自重や内部の排水手段を流れる雨水等の荷重は、前記突出躯体に安定に支持される。
両部材の一体化を前述のように両部材の軒先先端の連結で行う場合、施工後にこの軒先化粧体の内部（軒樋の詰まり等）の確認を行う際に、容易に開けて目視にて確認することができるし、仮に詰まり等が生じていた場合に容易に改善することができる。
【００１６】
なお、このように複数部材からなる軒先化粧体では、前記下部材と前記上部材との何れか又は両方を建築物の軒先に固定しておけばよい。仮に何れの部材にもそのような固定手段が存在しない場合には、前記突出躯体に載置状に配設しても、安定に配置されずに転げ落ちる恐れがあるからである。
例えば後述する図示実施例では、下部材（軒樋）の上端及び前記上部材（軒先カバー材）の上端を重合させて建築物の屋根面に沿わせて固定する構成を採用しているが、両部材は前述のように軒先先端を連結しているので、何れか一方のみを屋根面や構造体等に固定しておけばよい。
【００１７】
また、前記軒先化粧体が、単一部材からなる場合には、当然のことながらそれ自体が排水手段（排水部）を有する構成、即ち断面形状が円や楕円状、又は多角形等の筒状体か、或いはその一部を切除した略筒状（樋状）体などがあり、その内部空間（内面）がそのまま排水空間（排水手段）となる。
このような筒状の軒先化粧体の配設状態における上面側には、その内部への雨水の導入口を設けるが、落ち葉等の固形物の浸入を防止するために孔径を小さくすることが望ましい。同様の理由により、前記略筒状（樋状）の軒先化粧体の切除部分は、配設状態における上面側に位置するように配設して内部への雨水の導入口とするが、その切除部分の開口幅は、小さく形成することが望ましい。
なお、この単一部材からなる軒先化粧体も、前記複数部材からなる軒先化粧体と同様に、突出躯体に安定に配置される手段を設ける必要があり、例えばベルト状の保持材を一体的に設けるようにしてもよいし、帯状の保持材の上端を建築物の屋根面や構造体等に固定してもよいが、その場合、厳密には複数部材からなるので、前述の説明は上部材と下部材とが予め連結されている態様、ということになる。
【００１８】
このような構成を有する本発明の軒先構造は、建築物の軒先に延出させた突出躯体に、内部に排水手段を設けた軒先化粧体を載置状に配設した構成であるため、支持強度が極めて高く、軒先化粧体としてどのような形状や大きさの軒樋をも用いることもできる。そのため、多種のデザインに適用でき、様々な意匠性の向上にも寄与でき、大型化にも適用することができる。
【実施例１】
【００１９】
図１（ａ）に示す本発明の第１実施例の軒先構造は、建築物の軒先に突出状に延出させた躯体４に形成するものであって、前記突出躯体４に、その内部空間１０に排水手段１Ａが設けられる軒先化粧体１が載置状に配設されている。
【００２０】
前記軒先化粧体１は、この第１実施例では図１（ｃ）に拡大して示すように排水手段１Ａである軒樋を兼ねる下部材３と、落ち葉除けを兼ねる軒先カバー材である上部材２とを連結した構成である。
【００２１】
前記上部材（軒先カバー材）２は、略平坦状の面板部２１の水上側（外装構造側）寄りに複数の導水孔２１１を備え、その水上側へ延在させた水上端２３を、外装構造の最軒端に取り付けられた外装材６Ａの裏面に差し込んでいる。また、前記面板部２１の水下端を裏面側へ折り下げ、その下端を内側へ折り返した係合部２２を下部材３の軒端に形成された延出片３４に係合している。なお、前記導水孔２１１は、孔の形状を問うものではないし、また「水切り」の有無も限定するものではない。また、前記最軒端の外装材６Ａは、他の外装材６とは異なり、略平坦状の吊子６ｃ'により取り付けれ、該吊子６ｃ'は保持材６ｆを介して軒端のＣ型鋼７Ｃ'に固定されている。
【００２２】
前記下部材（軒樋）３は、施工状態において突出躯体４に載置される部材であり、この第１実施例では、底面３１の左右の側端を立ち上げた断面が略Ｕ字状の連続材であって、より厳密には施工状態で略水平状に配される設置面部３１の軒先側の端縁を略傾斜状に立ち上げ（側面部３２）、建築物側の端縁に段差３３を介してを略鉛直状に立ち上げ（側面部３４）た樋状材である。また、前記軒先側の側面部３２の上端には、軒先側へ延在させて折り下げた略へ字状の延出片３５が形成され、前記建築物側の側面部３３の上端には、建築物側へ延在させて前記上部材２の水上端２３と重合状に沿わせた延在片３６が形成されている。
【００２３】
また、この第１実施例における前記突出躯体４は、前述のように建築物の軒先に突出状に延出させた躯体を指すものであって、Ｃ型鋼やＨ型鋼等の構造体に図１（ｂ）に示すような金属プレートを接続して軒先に突出させた構成であり、高い支持強度を備え、その周囲には化粧材５Ａがビス止め（ビス５ｂ）にて固定されている。
なお、この図１（ｂ）は、横方向に連続する前記軒先化粧体１を縦方向に連続する縦樋５Ｄの上端と接続している部分を示すものであって、隣り合う前記軒先化粧体１，１間に桝状の連絡体５Ｃを設け、その下方側に前記化粧材５Ａが接続されている。
【００２４】
また、前述のようにこの第１実施例では、前記建築物の屋根構造（６）は、傾斜勾配が形成されるように組み付けられた大型のＨ型鋼（躯体７Ａ）の表面にＬ鋼７Ｂ及びＣ型鋼７Ｃを固定し、該Ｃ型鋼７Ｃ上に流れ方向に連続する支持部材７Ｅを跨ぐように保持材７ｆを取り付け、隣り合う支持部材７Ｅ，７Ｅ間には木毛セメント板等で形成される野地材７Ｄが敷設されている。更にその上面には、防水シート層６ｅが敷設された上に裏面側に裏張り材６ｂを添装した横葺き外装材６を吊子６ｃにて段状に取り付けた横葺き外装構造が構築され、図中６ｄはバックアップ材、７Ｃ'は前記野地材７Ｄの軒端を支持するＣ型鋼を示す。前記支持部材７Ｅは、例えば断面ロ字状の各筒材であれば前述のように保持材７ｆを必要とするが、断面ハット状の成形体を用いれば保持材７ｆを用いなくてもＣ型鋼７Ｃに固定することができる。
続いて、前記傾斜勾配を形成する躯体７Ａの軒端は、略水平状に延在する大型のＨ型鋼（躯体７Ｆ）に連結され、該躯体７Ｆには略鉛直状に下方へ延在するＨ型鋼（躯体７Ｇ）が連結されている。また、前記略水平状の躯体７Ｆには、前記突出躯体４である金属プレートを軒先に突出状に固定するためのＨ型鋼７Ｈが固定され、該Ｈ型鋼７Ｈの左側には略横Ｔ字状の板状材７Ｉが、右側には略矩形状の板状材７Ｉ'が固定されている。この横Ｔ字状の板状材７Ｉに前記突出躯体４である金属プレートが接続されている。
【００２５】
さらに、図中、７Ｊは軒天構造を支持するＴ型鋼、７Ｋは該Ｔ型鋼に取り付けられた軒天井材、７Ｌは外壁（鼻隠し）、７Ｍは該外壁７Ｌを支持するＣ型鋼、７Ｎは前記Ｃ型鋼７Ｃ'に取り付けられた断面横ハット状の支持材、７Ｏは該支持材７Ｎの軒先側へ固定され、その上端は前記野地材７Ｄの軒端に至り、その下端は前記軒天井材７Ｋの軒先側に至る水切り材、７Ｐは前記野地材７Ｄの軒端を覆って仮に裏面側へ雨水等が浸入しても前記排水部１Ａへ導くことができる水切り材である。
【００２６】
このように本発明の第１実施例の軒先構造は、建築物の軒先に延出させた突出躯体４に内部に排水手段１Ａを設けた軒先化粧体１を載置状に配設した構成であるため、支持強度が極めて高く、軒先化粧体１としてどのような形状や大きさの軒樋をも用いることもできる。
また、この第１実施例では、突出躯体４を覆う化粧材５Ａが配設されているので、軒先側から見上げた際にも突出躯体４が露出することがなく、美麗な軒先構造となる。
【００２７】
図２（ａ）に示す本発明の第２実施例の軒先構造は、建築物の軒先に突出状に延出させた躯体４'が小型のＨ型鋼からなる点が前記第１実施例と相違するものであり、該突出躯体４'に載置状に配設される軒先化粧体１は、前記第１実施例と殆ど同様であるから図面に同一符号を付して説明を省略する。
即ちこの第２実施例では、Ｃ型鋼やＨ型鋼等の構造体に図２（ｂ）に示すような小型のＨ型鋼を組み付けて軒先に突出させた構成であり、高い支持強度を備え、その上面及び側面を覆う化粧材５Ｅとその下面を覆う化粧材５Ｆが固定されている。
【００２８】
また、この第２実施例における建築物の屋根構造（６）は、前記第１実施例と同様に傾斜勾配が形成されるように組み付けられた大型のＨ型鋼（躯体７Ａ）の表面にＬ鋼７Ｂ及びＣ型鋼７Ｃが固定され、該Ｃ型鋼７Ｃ上に流れ方向に連続する支持部材７Ｅを跨ぐように保持材７ｆ（前述のように必要ない場合もある）を取り付けている構成では共通しており、野地材（７Ｄ）については敷設していないが、第１実施例と同様に敷設してもよい。
続いて、前記傾斜勾配を形成する躯体７Ａの軒側の構造体についても、前記第１実施例と殆ど同様であるから図面に同一符号を付して説明を省略するが、横Ｔ字状の板状材７Ｉに前記突出躯体４'であるＨ型鋼が接続されている。
【００２９】
さらに、図中の符号７Ｊ〜７Ｍの部材については前記第１実施例と殆ど同様であるから図面に同一符号を付して説明を省略するが、７Ｑは前記Ｃ型鋼７Ｃ'に取り付けられた板状材、７Ｒは該板状材７Ｑの軒先側に固定され、その下端は前記軒天井材７Ｋの軒先側に至る水切り材、７Ｓは前記水切り材７Ｒの固定部分（ビス７ｔ）を覆う水切り材である。
【００３０】
この第２実施例の軒先構造は、前述のように建築物の軒先に小型のＨ型鋼からなる躯体４'を突出状に延出させた構成であって、支持強度が極めて高く、軒先化粧体１としてどのような形状や大きさの軒樋をも用いることもできる。
また、この第２実施例でも、突出躯体４'を覆う化粧材５Ｅ，５Ｆが配設されているので、軒先側から見上げた際にも突出躯体４'が露出することがなく、美麗な軒先構造となる。
【符号の説明】
【００３１】
１  軒先化粧体
１０  内部空間
１Ａ  排水手段
２  上部材（軒先カバー材）
２１  面板部
２１１  導水孔
２２  係合部
２３  水上端
３  下部材（軒樋）
３１  底面（設置面部）
３２  （傾斜状）側面部
３３  段差
３４  （鉛直状）側面部
３５  延出片
３６  延在片
４，４'  突出躯体
５Ａ，５Ｅ，５Ｆ  化粧材
６，６Ａ  （横葺き）外装材
７Ａ，７Ｆ，７Ｈ  躯体
７Ｄ  野地材
７Ｌ  外壁
８  縦樋
【図１】
2018066110.tif 000003
【図２】
2018066110.tif 000004